(57)【要約】【課題】座板の昇降時に使用者の手指が電動昇降椅子の可動部や電動昇降椅子以外の構造物に挟まれることを抑制することができる電動昇降椅子を提供する。【解決手段】電動昇降椅子１は、ベースフレーム２と、ベースフレーム２に昇降自在に支持された昇降体３と、昇降体３を昇降させる電動アクチュエータとを備えているとともに、昇降体３には、座板１２と左右一対の肘掛け１３とが設けられており、左右一対の肘掛け１３の先端部下面には、電動アクチュエータを操作して昇降体３を昇降させるためのレバースイッチ１４Ａ，１４Ｂが、肘掛け１３の先端側となる端部を上下方向へ揺動させることができるように、左右それぞれに取り付けられており、レバースイッチ１４Ａ，１４Ｂを左右共に上方向へ揺動させた場合に限って昇降体３が上昇し、レバースイッチ１４Ａ，１４Ｂを左右共に下方向へ揺動させた場合に限って昇降体３が下降する。【選択図】図１
2017131484.tif 000002
【特許請求の範囲】
【請求項１】
ベースフレームと、該ベースフレームに昇降自在に支持された昇降体と、該昇降体を昇降させる電動アクチュエータとを備えているとともに、前記昇降体には、座板と左右一対の肘掛けとが設けられている電動昇降椅子であって、
前記左右一対の肘掛けの先端部下面には、前記電動アクチュエータを操作して前記昇降体を昇降させるためのレバースイッチが、前記肘掛けの先端側となる端部を上下方向へ揺動させることができるように、左右それぞれに取り付けられており、
前記レバースイッチを左右共に上方向へ揺動させた場合に限って前記昇降体が上昇し、前記レバースイッチを左右共に下方向へ揺動させた場合に限って前記昇降体が下降するように構成されていることを特徴とする電動昇降椅子。
【請求項２】
前記昇降体には、前記座板と前記左右一対の肘掛けと、更に背もたれとが設けられており、該背もたれに前記左右一対の肘掛けがそれぞれ跳ね上げ可能に取り付けられているとともに、左右何れかの肘掛けが上方へ跳ね上げられた状態となっている場合、及び左右共に肘掛けが上方へ跳ね上げられた状態となっている場合には、前記レバースイッチによる前記電動アクチュエータの操作が不能となるように構成されている請求項１に記載の電動昇降椅子。
【請求項３】
前記昇降体には便座を有する便器が内装されており、前記座板が前記便座及び前記便器を上方から開閉可能に覆う蓋とされ、前記座板を開いた状態とした場合にポータブルトイレとして使用可能に構成されている請求項１又は請求項２に記載の電動昇降椅子。
【発明の詳細な説明】
【技術分野】
【０００１】
本発明は、電動で座板を昇降させることができる電動昇降椅子に関する。
【背景技術】
【０００２】
従来から、電動によって座板を昇降させることで、足腰の弱った者の立ち座りや、車椅子、ベッドへの移乗を補助することができる電動昇降椅子が提供されている。該電動昇降椅子には、座板の昇降操作を、肘掛け先端部に設けられたレバースイッチで行うもの（例えば、特許文献１，２）や、肘掛けに設けられた押しボタン式スイッチで行うもの（例えば、特許文献３）や、リモコン式スイッチで行うもの（例えば、特許文献４）がある。
より詳しくは、上記座板の昇降操作をレバースイッチ行う電動昇降椅子は、レバーを上げている間は座板が上昇し、レバーを上げている間は座板が下降し、レバーから手を離すと、該レバーが中立位置に戻って座板の昇降が停止するように構成されている。
上記座板の昇降操作を押しボタン式スイッチ又はリモコン式スイッチで行う電動昇降椅子は、上昇ボタンを押している間は座板が上昇し、下降ボタンを押している間は座板が下降し、ボタンから手を離すと座板の昇降が停止するように構成されている。
【先行技術文献】
【特許文献】
【０００３】
【特許文献１】特開２００５−２４５８０８号公報
【特許文献２】特開２０１３−２１５２２４号公報
【特許文献３】特開２０１４−６８９８４号公報
【特許文献４】特開２００８−１２５７５３号公報
【発明の概要】
【発明が解決しようとする課題】
【０００４】
ところが、上記従来の電動昇降椅子は何れも、上記レバースイッチや上記押しボタン式スイッチを使用者が片手のみで操作して座板の昇降を行うことができるように構成されているため、使用者の不注意により、スイッチを操作していないもう片方の手が、椅子の可動部や、ベッドのサイドレール等といった椅子以外の構造物に挟まれてしまうおそれがあった。
本発明は、上記従来の問題点に着目してなされたものであり、その目的とするところは、座板の昇降時に使用者の手指が電動昇降椅子の可動部や電動昇降椅子以外の構造物に挟まれることを抑制することができる電動昇降椅子を提供することにある。
【課題を解決するための手段】
【０００５】
上記課題を解決するための手段として、請求項１に記載の電動昇降椅子の発明は、ベースフレームと、該ベースフレームに昇降自在に支持された昇降体と、該昇降体を昇降させる電動アクチュエータとを備えているとともに、前記昇降体には、座板と左右一対の肘掛けとが設けられている電動昇降椅子であって、前記左右一対の肘掛けの先端部下面には、前記電動アクチュエータを操作して前記昇降体を昇降させるためのレバースイッチが、前記肘掛けの先端側となる端部を上下方向へ揺動させることができるように、左右それぞれに取り付けられており、前記レバースイッチを左右共に上方向へ揺動させた場合に限って前記昇降体が上昇し、前記レバースイッチを左右共に下方向へ揺動させた場合に限って前記昇降体が下降するように構成されていることを要旨とする。
請求項２に記載の発明は、請求項１に記載の電動昇降椅子の発明において、前記昇降体には、前記座板と前記左右一対の肘掛けと、更に背もたれとが設けられており、該背もたれに前記左右一対の肘掛けがそれぞれ跳ね上げ可能に取り付けられているとともに、左右何れかの肘掛けが上方へ跳ね上げられた状態となっている場合、及び左右共に肘掛けが上方へ跳ね上げられた状態となっている場合には、前記レバースイッチによる前記電動アクチュエータの操作が不能となるように構成されていることを要旨とする。
請求項３に記載の発明は、請求項１又は請求項２に記載の電動昇降椅子の発明において、前記昇降体には便座を有する便器が内装されており、前記座板が前記便座及び前記便器を上方から開閉可能に覆う蓋とされ、前記座板を開いた状態とした場合にポータブルトイレとして使用可能に構成されていることを要旨とする。
【発明の効果】
【０００６】
［作用］
本発明の電動昇降椅子は、レバースイッチが肘掛けの先端部下面に取り付けられているため、該レバースイッチを操作する使用者の手指が、電動昇降椅子の可動部や電動昇降椅子以外の構造物に挟まれるような位置となることを防止することができる。該レバースイッチは、左右の肘掛けそれぞれに取り付けられており、座板が設けられた昇降体は、レバースイッチを左右共に操作した場合に限って昇降するように構成されている。このため、昇降体の昇降時に左右両方の手指が電動昇降椅子の可動部や電動昇降椅子以外の構造物に挟まれるような位置とならず、該可動部や該構造物に挟まれることを抑制することができる
また、前記左右一対の肘掛けは、それぞれ跳ね上げ可能とすることで、車椅子やベッドへの移乗時等には邪魔にならないように上方へ跳ね上げておくことができる。そして、左右何れかの肘掛けが上方へ跳ね上げられた状態となっている場合、及び左右共に肘掛けが上方へ跳ね上げられた状態となっている場合に、前記レバースイッチによる前記電動アクチュエータの操作を不能とすることで、車椅子やベッドへの移乗時等に誤ってレバースイッチに触れることで不意に昇降体が昇降してしまうことを抑制することができる。
また、前記昇降体に便座及び便器を内装することで、電動昇降椅子がポータブルトイレとしても使用可能なものとなり、該電動昇降椅子を有用なものとすることができる。
【０００７】
［効果］
本発明によれば、座板の昇降時に使用者の手指が電動昇降椅子の可動部や電動昇降椅子以外の構造物に挟まれることを抑制することができる電動昇降椅子を提供することができる。
【図面の簡単な説明】
【０００８】
【図１】電動昇降椅子の一実施形態を示す側面図。
【図２】電動昇降椅子の一実施形態を示す正面図。
【図３】電動昇降椅子の一実施形態を示す底面図。
【発明を実施するための形態】
【０００９】
以下、本発明の電動昇降椅子を具体化した実施形態について、詳細に説明する。
図１から図３に示すように、電動昇降椅子１は、ベースフレーム２と、該ベースフレーム２に昇降自在に支持された昇降体３と、該昇降体３を昇降させる電動アクチュエータとを備えている。
上記ベースフレーム２は、脚部フレーム４と、該脚部フレーム４の後部に立設された支持フレーム５とによって構成されている。
上記脚部フレーム４の底面には、後端部に自在キャスタ４Ａが設けられているとともに、前端部に固定キャスタ４Ｂが設けられており、電動昇降椅子１を移動可能としている。また、自在キャスタ４Ａには、ストッパ４Ｃが設けられており、該ストッパ４Ｃを用いることで電動昇降椅子１の移動を規制し、位置を固定することができる。
上記支持フレーム５は、上記脚部フレーム４に対して緩やかに後方に傾斜するように取り付けられている。該支持フレーム５の上部には、収容ボックス５Ａが設けられており、該収容ボックス５Ａ内に上記電動アクチュエータが収容されている。
【００１０】
上記昇降体３は、本体部６と、該本体部６の後部に取り付けられた背もたれ７とによって構成されている。該昇降体３は、上記支持フレーム５に対して前記背もたれ７を介して上下動自在に装着されており、前記収容ボックス５Ａ内の電動アクチュエータにより、該昇降体３全体が該支持フレーム５に沿って上昇及び下降するように構成されている。
また、本体部６は、ハンドル７Ａを所定の方向に回すことで、パンタグラフ機構（図示せず）により、背もたれ７に対する前後方向の角度を、水平姿勢から所望の傾斜角で変化させて調整することができるように構成されている。
【００１１】
上記昇降体３において、上記本体部６は、上面が開放された箱状に形成されている。該本体部６には、便器８が内装されており、該便器８の上方には便座９が配されている。該便器８には、上記本体部６の下方外部から排水管１０の一端が接続されており、該排水管１０の他端は、図示しない下水や貯留槽等へと延設されている。
即ち、上記昇降体３の本体部６は、ポータブルトイレとしての機能を有しており、排水管１０を介して便器８内の汚物等を下水や貯留槽等へ排出することができるように構成されている。汚物等を便器８内から排出する方法については、特に限定されず、例えば、真空ポンプを用いた吸引による方法、高圧ポンプを用いた圧送による方法等が挙げられる。
また、上記昇降体３の後部には給水タンク１１が設けられている。そして、該給水タンク１１内の水を使用することにより、例えば、前記便座９に局部洗浄ユニットを取り付けて局部を洗浄したり、あるいは便器８内の汚物等を水洗したりすることができる。
【００１２】
上記昇降体３において、上記便座９の上方には、座板１２が設けられている。該座板１２は、後端部が上記昇降体３に軸着されていることで、上記本体部６に対して上方へ跳ね上げ可能とされており、更に前後方向の中央で２つ折りして折り畳むことができるように構成されている。
上記座板１２は、前記便器８及び前記便座９を上方から開閉可能に覆う蓋として構成されたものである。即ち、該座板１２は、上記本体部６の上面を閉じて前記便器８及び前記便座９を上方から覆う状態とした場合、その上面に着座することが可能であり、該状態で上記電動昇降椅子１は椅子として使用することができる。一方、該座板１２を２つ折りして折り畳んだうえで、上方へ跳ね上げることにより、上記本体部６の上面が開放され、前記便器８及び前記便座９が使用可能な状態となり、該状態で上記電動昇降椅子１はポータブルトイレとして使用することができる。
【００１３】
上記昇降体３には、左右一対の肘掛け１３が設けられている。該肘掛け１３は、その後端部が上記背もたれ７に軸着されていることで、上記本体部６に対して上方へ跳ね上げ可能に構成されている。
また、上記肘掛け１３には、該肘掛け１３が水平位置の状態（図１に示す状態）で、該肘掛け１３を自動的に位置固定する図示しないロック機構が設けられている。そして、使用者がベッドへ移乗する等のように該肘掛け１３が邪魔になる場合には、該ロック機構による位置固定を解除することで、該肘掛け１３を上方へ跳ね上げることができる。
【００１４】
上記左右一対の肘掛け１３の先端部下面には、それぞれレバースイッチ１４Ａ，１４Ｂが設けられている。
左右のレバースイッチ１４Ａ，１４Ｂは、肘掛け１３の先端側となる端部（先端部）が斜め下方へ伸びるように上記肘掛け１３に取り付けられており、該位置（図１に実線で示した位置）を中立位置として、その先端部を該中立位置から上方位置及び下方位置（図１に二点鎖線で示した位置）へ揺動でさせることができるように構成されている。
また、該レバースイッチ１４Ａ，１４Ｂは、通常は中立位置にあり、使用者が手で操作することで上方位置又は下方位置へ揺動し、一方、使用者が手を離すことで中立位置へ自動的に戻るように構成されている。
【００１５】
上記電動昇降椅子１の使用時において、上記昇降体３の昇降は、左右一対の肘掛け１３を共に水平位置の状態として行う。該状態で使用者は、左右の肘掛け１３に左右それぞれの肘を置き、左右の手で肘掛け１３の先端部を軽く握ったうえで、指を伸ばして左右のレバースイッチ１４Ａ，１４Ｂを操作する。
上記昇降体３を上昇させる場合には、該上昇の向きと対応して、レバースイッチ１４Ａ，１４Ｂを上方向へ揺動させて上方位置とする。この際、上記電動昇降椅子１にあっては、右のレバースイッチ１４Ａ及び左のレバースイッチ１４Ｂが共に上方位置とされた場合に限り、上記電動アクチュエータが作動し、前記昇降体３が上昇する。つまり、右のレバースイッチ１４Ａ又は左のレバースイッチ１４Ｂの何れか一方のみを上方位置としても、前記昇降体３は上昇しない。
また、上記昇降体３を下降させる場合には、該下降の向きと対応して、レバースイッチ１４Ａ，１４Ｂを下方向へ揺動させて下方位置とする。この際、上記電動昇降椅子１にあっては、右のレバースイッチ１４Ａ及び左のレバースイッチ１４Ｂが共に下方位置とされた場合に限り、上記電動アクチュエータが作動し、前記昇降体３が下降する。つまり、右のレバースイッチ１４Ａ又は左のレバースイッチ１４Ｂの何れか一方のみを下方位置としても、前記昇降体３は下降しない。
【００１６】
上記したように上記昇降体３を昇降させるには、左右のレバースイッチ１４Ａ，１４Ｂを共に操作する必要があり、且つ、左右のレバースイッチ１４Ａ，１４Ｂは、肘掛け１３の先端部下面に設けられている。このため、左右の肘掛け１３に左右それぞれの肘を置き、左右の手で肘掛け１３の先端部を軽く握った状態が、最もレバースイッチ１４Ａ，１４Ｂを操作しやすい体勢となる。そして、該体勢では、左右何れかの手が自由となって上記電動昇降椅子１の可動部や該電動昇降椅子１以外の構造物の近くに配されることがなく、昇降体３の昇降時に使用者の手指が該可動部や該構造物に挟まれることを防止することができる。
また、上記電動昇降椅子１は、左右何れかの肘掛け１３が上方へ跳ね上げられた状態となっている場合、及び左右共に肘掛け１３が上方へ跳ね上げられた状態となっている場合に、前記レバースイッチ１４Ａ，１４Ｂによる前記電動アクチュエータの操作が不能となるように構成されている。従って、上記電動昇降椅子１と車椅子やベッドとの間を移乗する時、上方へ跳ね上げられた肘掛け１３のレバースイッチ１４Ａ，１４Ｂに誤って触れても、昇降体３が不意に昇降してしまうことがない。
更に、上記電動昇降椅子１の昇降体３において、本体部６の下方には、制動柵１５が配設されている。そして、上記昇降体３の昇降時に、使用者の足が制動柵１５に触れた場合、該昇降が直ちに制動されるように構成されている。従って、該昇降体３の昇降時に、該昇降体３と、床や上記脚部フレーム４との間に使用者の足が挟まれることを防止することができる。
加えて、上記電動昇降椅子１は、ベースフレーム２と、該ベースフレーム２に昇降自在に支持された昇降体３と、該昇降体３を昇降させる電動アクチュエータとを備えているとともに、前記昇降体３には、座板１２と左右一対の肘掛け１３と、更に便座９を有する便器８とが設けられている電動昇降便器として具体化されている。そして、該電動昇降便器は、昇降可能な座板１２を用いた椅子としての機能のみならず、昇降可能な便座９及び便器８を用いたポータブルトイレとしての機能も有しており、足腰の弱った者の立ち座りや、車椅子、ベッドへの移乗を補助するものとして非常に有用である。
【００１７】
本発明は、上記実施形態の構成に限定されるものではなく、以下のように変更してもよい。
実施形態の電動昇降椅子１では、昇降体３の本体部６に便器８を内装する等してポータブルトイレとしての機能を付与したが、該ポータブルトイレとしての機能を省略し、椅子としてのみ機能するように構成してもよい。
また、上記のように電動昇降椅子１を椅子としてのみ機能するように構成する場合、座板１２をほぼ床面まで下降することができるように構成することで、座椅子として使用してもよい。
実施形態の電動昇降椅子１では、昇降体３の本体部６に便器８を内装することにより、便器８も昇降するように構成したが、例えば便器８はベースフレーム２に固定する等して昇降しないように構成し、固定された便器８に対して便座９が昇降するように構成してもよい。あるいは、床面に固定された既設の便器を使用し、該既設の便器の周囲にベースフレームを配置して、該ベースフレームに対して座板としての便座と左右一対の肘掛けとが設けられている昇降体を昇降自在に支持させ、該昇降体を昇降させる電動アクチュエータを設けることにより、既設の便器に昇降自在な便座を増設してもよい。即ち、実施形態の電動昇降椅子を、ベースフレームと、該ベースフレームに昇降自在に支持された昇降体と、該昇降体を昇降させる電動アクチュエータとを備えているとともに、前記昇降体には、座板としての便座と左右一対の肘掛けとが設けられている電動昇降便座として具体化してもよい。そして、該電動昇降便座は、便座を昇降させることで、用便の際の足腰の弱った者の立ち座りを補助するものとして非常に有用である。
【産業上の利用可能性】
【００１８】
本発明の電動昇降椅子は、両手で左右のレバースイッチを共に操作した場合にのみ、昇降体が昇降するように構成されているので、昇降体の昇降時に使用者の手指が可動部や構造物に挟まれることを防止することができるから産業上利用可能である。
【符号の説明】
【００１９】
１    電動昇降椅子
２    ベースフレーム
３    昇降体
７    背もたれ
８    便器
９    便座
１２    座板
１３    肘掛け
１４Ａ  右のレバースイッチ
１４Ｂ  左のレバースイッチ
【図１】
2017131484.tif 000003
【図２】
2017131484.tif 000004
【図３】
2017131484.tif 000005